(57)【特許請求の範囲】
【請求項１】
回転可能に支持され、紙葉状の媒体を周側面に巻き付けるドラムと、
一端がドラムの周側面に固定され、ドラムの回転にともない当該周側面との間に媒体を挟んで巻き付ける主テープと、
前記主テープを巻き取る主リールと、
前記ドラムの周側面から離れた位置に設けられ、前記主リールから引き出された主テープを前記ドラムの周側面に向けて折り返す第１テープローラと、
前記ドラムの周側面から離れた位置に設けられ、前記第１テープローラにより折り返され前記ドラムの周側面に沿って走行した後、一旦当該周側面から引き離された前記主テープを再度当該周側面に向けて折り返す第２テープローラと、
前記ドラムの周側面から離れた位置に固定され、前記第２テープローラを支持するとともに、前記媒体の搬送をガイドする媒体搬送ガイドと、
前記媒体搬送ガイドに、前記媒体の巻き付け量によって変化する前記ドラムのドラム径に追従して可動するように設けられ、前記主テープにおける、前記第１テープローラにより折り返された部分と前記第２テープローラにより折り返された部分とで挟持されて搬送される媒体を、前記ドラムの周側面と前記媒体搬送ガイドとの間でガイドする可動ガイドと
を有することを特徴とする媒体処理装置。
【請求項２】
前記ドラムの周側面における、前記主テープの一端が固定される位置から前記ドラムの軸方向に離れた位置に一端が固定され、前記ドラムの回転にともない、前記主テープとともに、前記媒体を前記ドラムの周側面に巻き付ける補助テープと、
前記補助テープを巻き取る補助リールとを
さらに有することを特徴とする請求項１に記載の媒体処理装置。
【請求項３】
前記ドラムの周側面における、前記補助テープが巻き付けられる巻付ライン上に形成され、前記ドラムに前記補助テープが巻き付けられていくと当該補助テープにより覆われ、前記ドラムから前記補助テープが引き出されていくと露出するストッパ溝と、
前記ドラムの周側面における前記補助テープの巻付ラインと対向する位置に、前記ドラムのドラム径に追従して可動するように設けられ、前記ストッパ溝に係合可能な可動ストッパと
をさらに有し、
前記可動ストッパは、前記ドラムが前記補助テープを引き出す方向に回転していき、前記補助テープにより覆われていた前記ストッパ溝が露出するまで回転すると、当該ストッパ溝と係合することで前記ドラムの回転を停止させる
ことを特徴とする請求項２に記載の媒体処理装置。
【請求項４】
前記可動ガイドは、追従ローラを有し、当該追従ローラが前記ドラムの周側面に当接する
ことを特徴とする請求項１から３のいずれかに記載の媒体処理装置。
【請求項５】
前記可動ガイドの追従ローラは、前記ドラムの周側面における、前記補助テープが巻き付けられる巻付ラインと対向する位置に設けられ、前記ドラムに巻き付けられた補助テープに当接する
ことを特徴とする請求項２又は３に記載の媒体処理装置。
【請求項６】
前記可動ストッパは、追従ローラを有し、前記ストッパ溝が前記補助テープにより覆われている間は、当該追従ローラが前記補助テープに当接し、前記ストッパ溝が露出すると、当該追従ローラが前記ストッパ溝に入り込んで当該ストッパ溝の底に当接する
ことを特徴とする請求項３に記載の媒体処理装置。
【請求項７】
前記ストッパ溝は、前記ドラムの周側面における、前記補助テープの一端が固定される位置の近傍から、前記ドラムの周側面に沿って延びる溝であり、前記補助テープの一端が固定される位置の近傍となる一端側から他端側へとなだらかに深くなっている
ことを特徴とする請求項３又は６に記載の媒体処理装置。
【請求項８】
前記可動ストッパは、前記ドラムが前記補助テープを引き出す方向に回転することにともなって、露出した前記ストッパ溝の一端側から当該ストッパ溝に入り込んでいき、当該ストッパ溝の他端側に当接することで前記ドラムの回転を停止させる
ことを特徴とする請求項７に記載の媒体処理装置。
【請求項９】
前記可動ガイドは、前記可動ストッパを兼ねており、当該可動ガイドの一部が、前記ドラムの周側面における補助テープの巻付ラインと対向する位置にあり、前記ドラムが、前記ストッパ溝が露出するまで回転すると、前記可動ガイドの一部が、露出した前記ストッパ溝と係合することで前記ドラムの回転を停止させる
ことを特徴とする請求項３、６、７、８のいずれかに記載の媒体処理装置。
【請求項１０】
前記可動ガイドのガイド面と前記媒体搬送ガイドのガイド面との連結部分が入れ子形状となっている
ことを特徴とする請求項１から９のいずれかに記載の媒体処理装置。
【請求項１１】
取引すべき紙葉状の媒体を外部から取り込む取込部と、
前記媒体を搬送する搬送部と、
回転可能に構成され、前記搬送部により搬送されてくる前記媒体を周側面に巻き付けるドラムと、
一端がドラムの周側面に固定され、ドラムの回転にともない当該周側面との間に媒体を挟んで巻き付ける主テープと、
前記主テープを巻き取る主リールと、
前記ドラムの周側面から離れた位置に設けられ、前記主リールから引き出された主テープを前記ドラムの周側面に向けて折り返す第１テープローラと、
前記ドラムの周側面から離れた位置に設けられ、前記第１テープローラにより折り返され前記ドラムの周側面に沿って走行した後、一旦当該周側面から引き離された前記主テープを再度当該周側面に向けて折り返す第２テープローラと、
前記ドラムの周側面から離れた位置に固定され、前記第２テープローラを支持するとともに、前記媒体の搬送をガイドする媒体搬送ガイドと、
前記媒体搬送ガイドに、前記媒体の巻き付け量によって変化する前記ドラムのドラム径に追従して可動するように設けられ、前記主テープにおける、前記第１テープローラにより折り返された部分と前記第２テープローラにより折り返された部分とで挟持されて搬送される媒体を、前記ドラムの周側面と前記媒体搬送ガイドとの間でガイドする可動ガイドと
を有することを特徴とする媒体取引装置。
【発明の詳細な説明】
【技術分野】
【０００１】
本発明は媒体処理装置及び媒体取引装置に関するものであり、例えば顧客により紙幣等の媒体を投入させて所望の取引を行う現金自動預払機（ＡＴＭ）に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するものが広く普及している。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する紙幣カセットとを有するものが提案されている。
【０００４】
一時保留部としては、例えば回転する円筒状のドラムと、当該ドラムの周側面に一端が固定されたテープと、このテープが巻回されるリールと、テープを所望の走行経路に沿って走行させる複数のローラなどを有するものがある。この一時保留部は、ドラムの周側面にテープと共に紙幣を巻き付けることで当該紙幣を収納し、また当該周側面からテープとともに紙幣を引き剥がして繰り出すようになっている（例えば、特許文献１参照）。
【０００５】
従来の一時保留部には、１本のテープで紙幣の例えば長手方向の中央をドラムの周側面に押さえ付けるようにして巻き付けるものや、３本のテープで紙幣の長手方向の中央と両端近傍をドラムの周側面に押さえ付けるようにして巻き付けるものがある。
【０００６】
ここで、図１３に、１本のテープで紙幣をドラムに押さえ付けるタイプの一時保留部２００を示す。この一時保留部２００は、リール２０１から引き出されたテープ２０２をローラ２０３により前方へ走行させ第１テープローラ２０４により後方へ折り返してドラム２０５の周側面２０５Ｓに向けて進行させ、当該周側面２０５Ｓの軸方向の中央付近を約３／４周ほど周回させてから一度引き離し、第１テープローラ２０４の上側に配置された第２テープローラ２０６により折り返して再び周側面２０５Ｓに向けて進行させ、当該周側面２０５Ｓの軸方向の中央付近に巻き付けるようになっている。
【０００７】
この一時保留部２００は、テープ２０２における、第１テープローラ２０４により折り返された部分と第２テープローラ２０６により折り返された部分とが上下に重なるようになっていて、この重なる部分（これを紙幣搬送部分と呼ぶ）で紙幣（図示せず）の中央を挟持して搬送する。そして、紙幣をテープ２０２とともにドラム２０５に巻き付けて収納し、また、テープ２０２とともにドラム２０５に巻き付けられた紙幣を、テープ２０２とともにドラム２０５から引き剥がして繰り出すようになっている。
【０００８】
また、図１４に、３本のテープで紙幣をドラムに押さえ付けるタイプの一時保留部２１０を示す。この一時保留部２１０は、一時保留部２００とほぼ同様の構成にくわえて、リール２０１と同軸の補助リール２１１から引き出された２本のテープ（これを補助テープと呼ぶ）２１２を、それぞれローラ２１３により前方へ走行させ、ローラ２１４により後方へ折り返してドラム２０５の周側面２０５Ｓに向けて進行させ、当該周側面２０５Ｓの軸方向の両端付近に巻き付けるようになっている。
【０００９】
この一時保留部２１０も、中央のテープ（これを主テープと呼ぶ）２０２の紙幣搬送部分で紙幣の中央を挟持して搬送する。そして、紙幣を主テープ２０２とともにドラム２０５に巻き付けるとともに、この紙幣の両端近傍を２本の補助テープ２１２でドラム２０５に押し付けるようにして収納し、また、３本のテープ２０２、２１２とともにドラム２０５に巻き付けられた紙幣を、３本のテープ２０２、２１２とともにドラム２０５から引き剥がして繰り出すようになっている。
【先行技術文献】
【特許文献】
【００１０】
【特許文献１】特開２００９−１４６２４０号公報
【発明の概要】
【発明が解決しようとする課題】
【００１１】
しかしながら、従来の一時保留部は、１本のテープで紙幣をドラムに押さえ付けるタイプであっても、３本のテープで紙幣をドラムに押さえ付けるタイプであっても、例えば図１５に示すように、ドラム２０５の周側面２０５Ｓから引き剥がされた直後（又はドラムの周側面２０５Ｓに巻き取られる直前）の紙幣ＢＬが、中央を主テープ２０２のみで挟持された状態となる為、例えば、この紙幣ＢＬに両端が持ち上がるような折れ癖が付いていると、紙幣の両端が持ち上がってしまう。この結果、図１６に示すように、紙幣ＢＬの持ち上がった部分が一時保留部内の紙幣ＢＬが接触すべきでない部分に接触して搬送不良を引き起こしてしまうことがあった。
【００１２】
本発明は以上の点を考慮してなされたもので、従来と比して一段と搬送不良を低減することのできる媒体処理装置及び媒体取引装置を提案しようとするものである。
【課題を解決するための手段】
【００１３】
かかる課題を解決するため本発明においては、回転可能に支持され、紙葉状の媒体を周側面に巻き付けるドラムと、一端がドラムの周側面に固定され、ドラムの回転にともない当該周側面との間に媒体を挟んで巻き付ける主テープと、前記主テープを巻き取る主リールと、前記ドラムの周側面から離れた位置に設けられ、前記主リールから引き出された主テープを前記ドラムの周側面に向けて折り返す第１テープローラと、前記ドラムの周側面から離れた位置に設けられ、前記第１テープローラにより折り返され前記ドラムの周側面に沿って走行した後、一旦当該周側面から引き離された前記主テープを再度当該周側面に向けて折り返す第２テープローラと、前記ドラムの周側面から離れた位置に固定され、前記第２テープローラを支持するとともに、前記媒体の搬送をガイドする媒体搬送ガイドと、前記媒体搬送ガイドに、前記媒体の巻き付け量によって変化する前記ドラムのドラム径に追従して可動するように設けられ、前記主テープにおける、前記第１テープローラにより折り返された部分と前記第２テープローラにより折り返された部分とで挟持されて搬送される媒体を、前記ドラムの周側面と前記媒体搬送ガイドとの間でガイドする可動ガイドとを設けるようにした。
【００１４】
これにより、ドラムの周側面から引き剥がされた直後（又はドラムの周側面に巻き取られる直前）に主テープによって挟持された状態で搬送されている媒体を、常にドラムと媒体搬送ガイドとの間に介在する可動ガイドによってガイドできるので、例えば、媒体に折れ癖が付いていたとしても、可動ガイドによって媒体の折れ曲がりを抑えることができ、この結果、媒体が接触すべきでない部分に接触して搬送不良を引き起こしてしまうことを防ぐことができる。
【発明の効果】
【００１５】
本発明によれば、従来と比して一段と搬送不良を低減することのできる媒体処理装置及び媒体取引装置を実現できる。
【図面の簡単な説明】
【００１６】
【図１】現金自動預払機の外観構成を示す斜視図である。
【図２】紙幣入出金ユニットの内部構成を示す側面図である。
【図３】第１の実施の形態における一時保留部の内部構成を示す側面図である。
【図４】第１の実施の形態における一時保留部の外観構成を示す斜視図である。
【図５】第１の実施の形態における上側可動ガイドの外観構成を示す斜視図である。
【図６】第１の実施の形態における上側可動ガイドの外観構成を示す三面図である。
【図７】第１の実施の形態における紙幣が上側可動ガイドによってガイドされる様子を示す図である。
【図８】第１の実施の形態における一時保留部のストッパ溝に可動ストッパが挿入される様子を示す側面図である。
【図９】第１の実施の形態における一時保留部のストッパ溝に可動ストッパが挿入される様子を示す斜視図である。
【図１０】ストッパ溝及び可動ストッパを有していない一時保留部における主テープの動きを示す側面図である。
【図１１】ストッパ溝及び可動ストッパを有していない一時保留部における主テープの動きを示す側面図である。
【図１２】第２の実施の形態における一時保留部の内部構成を示す側面図である。
【図１３】従来の一時保留部の内部構成を示す側面図である。
【図１４】従来の一時保留部の内部構成を示す側面図である。
【図１５】従来の一時保留部における紙幣が折れ曲がる様子を示す斜視図である。
【図１６】従来の一時保留部における紙幣が折れ曲がる様子を示す側面図である。
【発明を実施するための形態】
【００１７】
以下、発明を実施するための形態（以下実施の形態とする）について、図面を用いて説明する。
【００１８】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行う。以下では、現金自動預払機１のうち顧客が対峙する側を前側とし、その反対を後側とし、当該前側に対峙した顧客から見て上下左右をそれぞれ上側、下側、左側及び右側と定義する。
【００１９】
この現金自動預払機１は、筐体２の前面上部に、接客部３が設けられている。接客部３は、カード入出口４、入出金口５、操作表示部６、テンキー７及びレシート発行口８からなり、顧客との間で現金や通帳等を直接やり取りすると共に、取引に関する情報の通知や操作指示の受付を行う部分である。
【００２０】
カード入出口４は、キャッシュカード等の各種カードが挿入又は排出される部分であり、このカード入出口４の奥側には、各種カードに磁気記録された口座番号等の読み取りを行うカード処理部（図示せず）が設けられている。
【００２１】
入出金口５は、顧客が入金する紙幣が投入されると共に、顧客へ出金する紙幣が排出される部分であり、シャッタを駆動することにより開放又は閉塞するようになっている。操作表示部６は、取引に際して操作画面を表示するＬＣＤ（Liquid Crystal Display）と、取引の種類の選択、暗証番号や取引金額等を入力するタッチパネルとが一体化されたものである。
【００２２】
テンキー７は、暗証番号や取引金額等の入力操作時に用いられる。レシート発行口８は、取引処理の終了時に取引内容等を印字したレシートを発行する部分であり、このレシート発行口８の奥側には、レシートに取引内容等を印字するレシート処理部（図示せず）が設けられている。
【００２３】
さらに、現金自動預払機１の内部には、現金自動預払機１全体を統括制御する主制御部９、取引情報などを記憶する記憶部１０、及び紙幣の入出金に関する種々の処理を行う紙幣入出金ユニット１１が設けられている。主制御部９は、図示しないＣＰＵ（Central Processing Unit）を中心に構成されており、記憶部１０は、ハードディスクドライブやフラッシュメモリ等で構成されている。
【００２４】
また、紙幣入出金ユニット１１には、ユニット制御部１２が設けられている。ユニット制御部１２は、図示しないＣＰＵを中心に構成されており、主制御部９を介して記憶部１０から所定のプログラムを読み出して実行することにより、紙幣入出金ユニット１１の各部を制御して入金取引や出金取引等の種々の処理を行う。
【００２５】
さらに、図２に示すように紙幣入出金ユニット１１内の上部には、入出金口５を有する紙幣入出金部２０と、紙幣の金種や真偽を鑑別する鑑別部２１と、入金紙幣等を一時的に収納する一時保留部２２が設けられている。紙幣入出金部２０の入出金口５には、シャッタ２３が設けられていて、このシャッタ２３が開閉することで、入出金口５を開放及び閉塞するようになっている。
【００２６】
また、紙幣入出金ユニット１１内の下部には、紙幣を金種別に集積するリサイクル庫２４と、鑑別部２１による鑑別の結果、異常と判断された紙幣（例えば破損した紙幣）等を格納する入金庫２５が設けられている。
【００２７】
さらに、これら紙幣入出金部２０、鑑別部２１、一時保留部２２、リサイクル庫２４、入金庫２５が、搬送部２６により接続されている。搬送部２６は、図示しないローラやベルト等により、図中太線で示す搬送路に沿って長方形の紙幣を短辺方向に搬送するようになっている。また、搬送部２６の分岐点には、セレクタ２７が設けられている。セレクタ２７は、ユニット制御部１２の制御に基づき回動することで、紙幣の搬送先を切り替えるようになっている。
【００２８】
鑑別部２１は、内部を通る紙幣の金種及び真偽、並びに損傷の程度等（正損）を鑑別して、その鑑別結果をユニット制御部１２へ通知する。一時保留部２２は、入金時に顧客が入出金口５へ投入した紙幣を一時的に収納し、鑑別部２１で入金可能と鑑別された入金可能紙幣を入金が確定するまで一時的に保留する一方、入金不可と鑑別された入金不可紙幣を、所謂後入れ先出しで紙幣入出金部２０へ排出する。また一時保留部２２は、出金時において鑑別部２１で出金不可能と鑑別された出金不可紙幣を、出金可能な紙幣が出金されるまで一時的に保留し、その後当該出金不可紙幣を入金庫２５へ排出する。
【００２９】
リサイクル庫２４は、例えば金種ごとに設けられ、収納排出機構により、搬送部２６によって搬送されてきた紙幣を取り込んで収納すると共に、収納されている紙幣を排出して搬送部２６へ供給するようになっている。
【００３０】
以上の構成でなる現金自動預払機１は、鑑別部２１による紙幣の鑑別結果等をもとに主制御部９及びユニット制御部１２が各部を制御して、紙幣の入金処理及び出金処理を行う。
【００３１】
すなわち、現金自動預払機１は、入金取引時、顧客により操作表示部６を介して入金取引が選択されると、シャッタ２３を開き、入出金口５に紙幣が投入されると、シャッタ２３を閉じて、投入された紙幣を紙幣入出金部２０から１枚ずつ鑑別部２１に搬送する。ここで現金自動預払機１は、鑑別部２１の鑑別結果に基づき入金可能紙幣と判定された紙幣については一時保留部２２に搬送して一時的に収納する一方で、入金に適さない入金不可紙幣と判定された紙幣については紙幣入出金部２０へ戻して、シャッタ２３を開くことで顧客に返却する。
【００３２】
その後、顧客により入金金額が確定されると、現金自動預払機１は、一時保留部２２に収納している紙幣を鑑別部２１に搬送して鑑別結果を得る。
【００３３】
ここで、現金自動預払機１は、鑑別部２１の鑑別結果に基づき収納可能紙幣と判定された紙幣については、その金種に対応するリサイクル庫２４へ搬送して保管する。一方で現金自動預払機１は、収納に適さない収納不可紙幣と判定された紙幣については、入金庫２５へ搬送することにより、収納可能紙幣とは分別して保管する。
【００３４】
また、出金取引時、現金自動預払機１は、顧客により操作表示部６を介して出金取引が選択され出金金額が入力されると、要求金額に応じて必要な金種毎の紙幣枚数を認識し、この金種毎の紙幣枚数に応じて各リサイクル庫２４から紙幣を繰り出して、鑑別部２１に搬送して鑑別結果を得る。
【００３５】
ここで、現金自動預払機１は、鑑別部２１の鑑別結果に基づき出金可能紙幣と判定された紙幣については紙幣入出金部２０に搬送する一方で、出金に適さない出金不可紙幣と判定された紙幣については一時保留部２２に搬送して一時的に収納する。
【００３６】
そして要求金額分の紙幣が紙幣入出金部２０へ集積されると、現金自動預払機１は、シャッタ２３を開ける。これにより紙幣入出金部２０内に集積されている紙幣の受け取りが可能な状態となり、顧客がこの紙幣を受け取る。その後、現金自動預払機１は、一時保留部２２に収納している出金不可紙幣を入金庫２５へと搬送して保管する。
【００３７】
このようにして、現金自動預払機１は、紙幣の入金取引及び出金取引を行うようになっている。
【００３８】
［１−２．一時保留部の構成］
次に、図３及び図４を用いて、一時保留部２２の構成について説明する。図３（Ａ）、（Ｂ）に示すように、一時保留部２２は、フレーム３０により外側が覆われており、その内部に各部品が取り付けられた構成となっている。尚、図３（Ａ）、（Ｂ）は、一時保留部２２の左側面図を模式的に表したものであり、説明の都合上、一部の部品を透過、もしくは省略、または簡略化したものとなっている。
【００３９】
フレーム３０内の中央付近には、左右方向に延びる回転軸３１Ｘを中心に回転する円筒状のドラム３１が設けられている。ドラム３１は、図示しないモータなどからの駆動力が伝達されることにより、巻取方向Ｒ１又は巻戻方向Ｒ２へ回転する。
【００４０】
ドラム３１は、詳しくは後述するが、その周側面３１Ｓに紙幣が巻き付けられると、図３（Ｂ）に示すようにドラム３１の外周に巻付層３１Ｗが形成される。このときのドラム３１は、紙幣が巻き付けられていない状態（図３（Ａ））と比較して、ドラム３１の径に巻付層３１Ｗの厚さを足した見かけ上の径が大きくなる。尚、以降、この見かけ上の径をドラム径と呼ぶ。また、ドラム３１に紙幣が巻き付けられているときには、巻付層３１Ｗの最外周を周側面３１Ｓとする。つまり、ドラム３１に紙幣が巻き付けられていくと、ドラム径が大きくなっていくとともに周側面３１Ｓがドラム３１の回転軸３１Ｘから離れていくことになる。
【００４１】
フレーム３０の前面には、紙幣を挿通させるための挿通孔３０Ｈが穿設されている。この挿通孔３０Ｈの後方には、紙幣を上下からそれぞれ案内する上側搬送ガイド３２及び下側搬送ガイド３３が設けられている。
【００４２】
上側搬送ガイド３２は、その下面がほぼ平坦且つほぼ水平なガイド面となっていて、フレーム３０に固定されている。下側搬送ガイド３３は、その上面がほぼ平坦且つほぼ水平なガイド面となっていて、上側搬送ガイド３２の下面との間に例えば５［ｍｍ］程度の隙間を形成するようにして、フレーム３０に固定されている。
【００４３】
つまり、一時保留部２２は、上側搬送ガイド３２と下側搬送ガイド３３の隙間に沿って紙幣を前後方向へ案内できる。尚、上側搬送ガイド３２及び下側搬送ガイド３３は、例えば、透明な樹脂材料で成形されている。
【００４４】
また、下側搬送ガイド３３の後側には、ドラム３１の下側に位置するように下側可動ガイド３４が設けられている。下側可動ガイド３４は、その前半部分の上面が、下側搬送ガイド３３の上面を延長したような平坦なガイド面となっている。また、下側可動ガイド３４は、その後半部分の上面が、ドラム３１の周側面３１Ｓに沿うように湾曲したガイド面となっている。尚、下側可動ガイド３４も、例えば、透明な樹脂材料で成形されている。
【００４５】
下側可動ガイド３４の後半部分のドラム３１のほぼ真下となる位置には、ドラム当接ローラ３５が設けられている。ドラム当接ローラ３５は、左右方向に延びる円柱状でなり、下側可動ガイド３４に回転可能に支持されている。このドラム当接ローラ３５は、上側の一部分が下側可動ガイド３４の上面より上方に突出してドラム３１の周側面３１Ｓに当接するようになっている。
【００４６】
この下側可動ガイド３４は、その前端部分が、下側搬送ガイド３３の後端部分に回動可能に支持されていて、トーションスプリングなどによってドラム３１の周側面３１Ｓに押し付ける方向に付勢されている。これにより、下側可動ガイド３４は、ドラム３１のドラム径の変化に追従するように可動して、常にドラム当接ローラ３５をドラム３１の周側面３１Ｓに当接させるようになっている。
【００４７】
また、ドラム３１の後方斜め下には、左右方向のほぼ中央に、左右方向に延びる回転軸４１Ｘを中心に回転する糸巻状の主リール４１が設けられている。主リール４１は、左右方向の長さがドラム３１と比較して十分短く形成されている。また、主リール４１は、図示しないモータなどからの駆動力が伝達されることにより、引出方向Ｓ１又は巻取方向Ｓ２へ回転する。
【００４８】
この主リール４１には、主テープ４２が巻き取られている。主テープ４２は、例えば比較的柔らかい樹脂材料でなり、細長く薄いフィルム状に形成されている。主テープ４２の幅（左右方向の長さ）は、主リール４１の幅よりも僅かに短く、ドラム３１の左右方向の長さよりも十分短くなっている。主テープ４２は、その一端が、主リール４１の周側面に固定されている。
【００４９】
さらに、主リール４１の前方には、ローラ４３が配置されている。さらに、このローラ４３の前方で、且つドラム当接ローラ３５より前方となる位置に、下側可動ガイド３４に回転可能に支持された第１テープローラ４４が配置されている。ローラ４３及び第１テープローラ４４は、それぞれ左右方向に延びる円柱状でなり、左右方向の長さがドラム３１と比較して十分短く形成されている。
【００５０】
さらに、下側可動ガイド３４には、第１テープローラ４４とドラム当接ローラ３５との間にフィードローラ４５が設けられている。フィードローラ４５は、左右方向に延びる円柱状でなり、下側可動ガイド３４により回転可能に支持されている。このフィードローラ４５は、ドラム当接ローラ３５と同様、上側の一部分が下側可動ガイド３４の上面より上方に突出するようになっている。また、このフィードローラ４５も、左右方向の長さがドラム３１と比較して十分短く形成されている。
【００５１】
また、フィードローラ４５の前方には、主テープ４２を通す為の孔（図示せず）が穿設されている。この孔は、下側可動ガイド３４を上下方向に貫通していて左右方向の長さが、主テープ４２の幅よりも大きくなっている。
【００５２】
一方、上側搬送ガイド３２内には、第２テープローラ４６が設けられている。この第２テープローラ４６は、左右方向に延びる円柱状でなり、上側搬送ガイド３２により回転可能に支持されている。この第２テープローラ４６も、左右方向の長さがドラム３１と比較して十分短く形成されている。
【００５３】
また、上側搬送ガイド３２にも、主テープ４２を通す為の孔（図示せず）が設けられている。この孔は、上側搬送ガイド３２の後面から第２テープローラ４６の上側へと延び、第２テープローラ４６の前側の周側面を通って、上側搬送ガイド３２の下面へと通じる孔であり、左右方向の長さが主テープ４２の幅よりも大きくなっている。
【００５４】
尚、ドラム当接ローラ３５、ローラ４３、第１テープローラ４４、フィードローラ４５及び第２テープローラ４６は、それぞれ左右方向の長さが、主テープ４２の左右方向の長さ（すなわちテープ幅）よりも僅かに長くなっている。
【００５５】
主リール４１に巻き取られている主テープ４２は、主リール４１から前方へと引き出された後、ローラ４３、第１テープローラ４４へと順に掛け渡されて、第１テープローラ４４により後方斜め上に折り返される。さらに、主テープ４２は、フィードローラ４５の上部に掛け渡されて後方へと向かい、ドラム当接ローラ３５とドラム３１との間に入り込んで、ドラム当接ローラ３５によりドラム３１の周側面３１Ｓに押し付けられる。
【００５６】
さらに、主テープ４２は、ドラム３１の周側面３１Ｓに沿ってドラム３１の後側を半周して上端まで進み、さらに、周側面３１Ｓを１／８周〜１／４周程度進んだ地点で周側面３１Ｓから引き離され、ドラム３１の前方斜め下に位置する第２テープローラ４６へと向かう。
【００５７】
その後、主テープ４２は、第２テープローラ４６に掛け渡され、第２テープローラ４６により後方に折り返される。さらに、主テープ４２は、フィードローラ４５の上部に掛け渡されて後方へと向かい、ドラム当接ローラ３５とドラム３１との間に入り込んで、ドラム３１の周側面３１Ｓに押し付けられ、最終的にドラム３１に巻き取られる。尚、主テープ４２の先端は、ドラム３１の周側面３１Ｓの左右方向の中央に固定されている。
【００５８】
また、主テープ４２は、第１テープローラ４４により折り返された部分と第２テープローラ４６により折り返された部分のうち、フィードローラ４５からドラム３１の周側面３１Ｓまでの間で上下に重なるようになっている。さらに、主テープ４２は、詳しくは後述するが、図４に示すように、フィードローラ４５と周側面３１Ｓとの間の重なる部分で紙幣ＢＬを挟持して前後方向に搬送するようになっている。尚、フィードローラ４５と周側面３１Ｓとの間の重なる部分を、主テープ４２の紙幣搬送部分４２Ｔと呼ぶことにする。
【００５９】
一時保留部２２は、ドラム３１を巻取方向Ｒ１へ回転させることで、ドラム３１により主テープ４２を引っ張りながら、主テープ４２を上述した経路で走行させ、主テープ４２をドラム３１の周側面３１Ｓに巻き取っていく。また、一時保留部２２は、主リール４１を巻取方向Ｓ２へ回転させるとともにドラム３１を巻戻方向Ｒ２へ回転させることで、ドラム３１の周側面３１Ｓから主テープ４２を引き剥がし、上述した経路を逆方向に走行させて、主テープ４２を主リール４１に巻き取っていく。よって、主テープ４２には、経路上の全ての箇所で張力が作用するようになっている。
【００６０】
尚、説明の都合上、主リール４１、主テープ４２、ローラ４３、第１テープローラ４４、フィードローラ４５、ドラム当接ローラ３５及び第２テープローラ４６をまとめて主テープ走行系４０（図４参照）と呼ぶ。主テープ走行系４０の各部品は、それぞれ一時保留部２２の左右方向のほぼ中央に配置されている。
【００６１】
さらに、一時保留部２２には、主リール４１の左右２箇所に、それぞれ主リール４１と同様、回転軸４１Ｘを中心に回転する補助リール５１が設けられている。補助リール５１は、主リール４１と同様、糸巻状でなり、左右方向の長さがドラム３１と比較して十分短く形成されている。また、補助リール５１は、主リール４１と同様、図示しないモータなどからの駆動力が伝達されることにより、引出方向Ｓ１又は巻取方向Ｓ２へ回転する。
【００６２】
各補助リール５１には、それぞれ補助テープ５２が巻き取られている。補助テープ５２は、主テープ４２と同様、比較的柔らかい樹脂材料でなり、細長く薄いフィルム状に形成されている。補助テープ５２の幅は、補助リール５１の幅よりも僅かに短く、ドラム３１の左右方向の長さよりも十分短くなっている。各補助テープ５２は、それぞれ、その一端が、各補助リール５１の周側面に固定されている。
【００６３】
さらに、ローラ４３の左右２箇所に、それぞれローラ４３と同軸のローラ５３が設けられ、第１テープローラ４４の左右２箇所にも、それぞれ第１テープローラ４４と同軸のローラ５４が設けられている。
【００６４】
各補助リール５１に巻き取られている各補助テープ５２は、それぞれ各補助リール５１から前方へ引き出された後、ローラ５３、ローラ５４へと順に掛け渡されて、ローラ５４により後方斜め上に折り返され、ドラム３１の周側面３１Ｓの下端付近で周側面３１Ｓに当接して、そのままドラム３１に巻き取られる。
【００６５】
尚、２本の補助テープ５２は、それぞれ、主テープ４２から左右方向に離れた位置を走行するようになっていて、その先端が、ドラム３１の周側面３１Ｓの左右方向の両端近傍に固定されている。ゆえに、２本の補助テープ５２は、周側面３１Ｓの左右方向の中央に巻き取られる主テープ４２から左右方向に離れた位置（周側面３１Ｓの左右方向の両端近傍）に巻き取られるようになっている。
【００６６】
また、ここでは、説明の都合上、補助リール５１、補助テープ５２、ローラ５３、５４をまとめて補助テープ走行系５０（図４参照）と呼ぶ。補助テープ走行系５０の各部品は、主テープ走行系４０の各部品に対し、左右方向に重ならない位置に配置されている。
【００６７】
この一時保留部２２では、紙幣ＢＬの収納時、ドラム３１を巻取方向Ｒ１へ回転させて主テープ４２を走行させ、挿通孔３０Ｈから入り込んでくる紙幣ＢＬを、上側搬送ガイド３２と下側搬送ガイド３３の隙間に沿って後方へと搬送し、さらに主テープ４２の紙幣搬送部分４２Ｔで中央を挟持して後方へ搬送する。そして、一時保留部２２は、ドラム３１の回転にともなって、紙幣ＢＬを、紙幣ＢＬを挟持している主テープ４２とともに、主テープ４２に挟持された状態のまま周側面３１Ｓに巻き付けていく。このとき、下側可動ガイド３４は、ドラム径の変化に追従して可動することにより、常に、ドラム当接ローラ３５を周側面３１Ｓに当接させる。
【００６８】
またこのとき、補助テープ５２は、ドラム３１の周側面３１Ｓの下端付近で、周側面３１Ｓとの間に、紙幣ＢＬを挟みこんだ状態で、周側面３１Ｓに巻き付いていく。これにより、一時保留部２２は、紙幣ＢＬの中央と左右両端部を、それぞれ主テープ４２と２本の補助テープ５２でドラム３１の周側面３１Ｓに押さえ付けることができ、紙幣ＢＬの両端部分が周側面３１Ｓから浮き上がることを防止できる。
【００６９】
一方、紙幣ＢＬの繰出時、一時保留部２２は、主リール４１と補助リール５１を巻取方向Ｓ２へ回転させるとともにドラム３１を巻戻方向Ｒ２へ回転させて主テープ４２と補助テープ５２を収納時とは逆方向に走行させることにより、ドラム３１に巻き付けられている紙幣ＢＬを、主テープ４２とともに、ドラム３１から引き剥がしていく。
【００７０】
ドラム３１から引き剥がされた紙幣ＢＬは、主テープ４２の紙幣搬送部分４２Ｔで挟持されて前方へ搬送され、さらに上側搬送ガイド３２と下側搬送ガイド３３の隙間に沿って前方へ搬送され、挿通孔３０Ｈから繰り出される。
【００７１】
上述した構成にくわえて、一時保留部２２には、上側搬送ガイド３２の後側に、上側可動ガイド６０が設けられている。この上側可動ガイド６０は、図５及び図６に示すように、左右方向に延びる基部６０Ｂと、この基部６０Ｂの左右両端部のそれぞれから下方に延びる脚部６０Ｌ、６０Ｒとで構成され、図６（Ｂ）に示すように、後側（又は前側）から見たときに、下側が開いた略コの字型となっている。
【００７２】
この上側可動ガイド６０の後面（すなわちドラム３１と対向する面）は、ドラム３１の周側面３１Ｓに沿うように湾曲している。さらに、この上側可動ガイド６０の両脚部６０Ｌ、６０Ｒには、それぞれ外側面の下端近傍に、追従ローラ６１が回転可能に支持されている。この追従ローラ６１は、後側の一部分が上側可動ガイド６０の後面より後方に突出してドラム３１の周側面３１Ｓに当接するようになっている。
【００７３】
この上側可動ガイド６０は、基部６０Ｂの上端部分が上側搬送ガイド３２の後端部分の上端に回転可能に支持されていて、スプリング６２（図５参照）によってドラム３１の周側面３１Ｓに押し付ける方向に付勢されている。これにより、上側可動ガイド６０は、ドラム３１のドラム径の変化に追従するように可動して、常に追従ローラ６１をドラム３１の周側面３１Ｓに当接させるようになっている。
【００７４】
また、図５に示すように、上側可動ガイド６０は、両脚部６０Ｌ、６０Ｒの左右方向の間隔が、主テープ４２の幅より僅かに大きく、これら両脚部６０Ｌ、６０Ｒの間を、主テープ４２が走行するようになっている。つまり、上側可動ガイド６０は、ドラム３１から上側搬送ガイド３２の第２テープローラ４６へと引き出されてドラム３１へと折り返される主テープ４２の走行経路を避ける形状となっていて、これにより、主テープ４２の走行を妨げることなく、可動できるようになっている。尚、この上側可動ガイド６０は、両脚部６０Ｌ、６０Ｒのそれぞれに設けられた追従ローラ６１が、ドラム３１の周側面３１Ｓにおける、補助テープ５２が巻き付けられる箇所（これを巻付ラインと呼ぶ）に対向する位置に配置されるようになっていて、各追従ローラ６１が、ドラム３１に巻き付けられた各補助テープ５２にそれぞれ当接するようになっている。
【００７５】
さらに、上側可動ガイド６０の両脚部６０Ｌ、６０Ｒの下面は、上側搬送ガイド３２の下面を延長したようなガイド面となっている。このガイド面は、例えば、上側可動ガイド６０の回転軸を中心とする円に沿うように湾曲している。さらに、両脚部６０Ｌ、６０Ｒの下端部と上側搬送ガイド３２の下端部は、それぞれ複数の櫛歯６０Ｌｔ、６０Ｒｔ、３２ｔで構成された入れ子形状となっていて、上側可動ガイド６０が可動しても、常に上側可動ガイド６０のガイド面と上側搬送ガイド３２のガイド面とが連結されるようになっている。
【００７６】
一時保留部２２は、このような上側可動ガイド６０を有している。これにより、一時保留部２２は、例えば、図７に示すように、ドラム３１から引き剥がした直後の紙幣ＢＬを、主テープ４２の紙幣搬送部分４２Ｔで中央を挟持して、上側搬送ガイド３２と下側搬送ガイド３３との隙間へと搬送する際に、この紙幣ＢＬに両端が持ち上がるような折れ癖が付いていたとしても、紙幣搬送部分４２Ｔに挟持された紙幣ＢＬの上方に位置する上側可動ガイド６０によって、紙幣ＢＬの折れ曲がりが抑制され、上側搬送ガイド３２の後面などに引っ掛かったりすることなく、紙幣ＢＬをドラム３１の周側面３１Ｓから上側搬送ガイド３２と下側搬送ガイド３３との隙間へとガイドできる。
【００７７】
尚、一時保留部２２は、ドラム３１に巻き取られている主テープ４２をドラム３１から引き剥がすことにともなって、主テープ４２とともにドラム３１に巻き取られている紙幣ＢＬをドラム３１から引き剥がす構成の為、別途、紙幣ＢＬをドラム３１から引き剥がす為のスクレーパなどの部品を必要としない。よって、上側可動ガイド６０は、スクレーパに似た形状となってはいるが、紙幣ＢＬをドラム３１から引き剥がす機能は有してなく、あくまでガイドとしてのみ機能する。
【００７８】
さらに、この一時保留部２２には、図３に示すように、ドラム３１の周側面３１Ｓに、周方向に沿って延びるストッパ溝７０が形成されている。このストッパ溝７０は、左側（もしくは右側）の補助テープ５２の巻付ライン上に形成されている。具体的には、補助テープ５２の先端の固定位置Ｐ１の先に設けられ、この固定位置Ｐ１の近傍からドラム３１の巻取方向（図中反時計回り方向）Ｒ１に周側面３１Ｓの１／４周程度延びた溝となっている。
【００７９】
このストッパ溝７０は、その幅（ドラム３１の軸方向に平行な方向の長さ）が、補助テープ５２の幅よりも狭くなっている。よって、このストッパ溝７０は、ドラム３１に、補助テープ５２が少なくとも１周以上巻き付けられている際には、この補助テープ５２によって覆われ、補助テープ５２の巻き付け量がそれより少なくなると露出するようになっている。
【００８０】
また、このストッパ溝７０は、補助テープ５２の固定位置Ｐ１の近傍の一端側から他端側へとなだらかに深くなっていく形状でなり、最も深くなる他端側の壁面が、ドラム３１の周側面３１Ｓにほぼ直交するようになっている。
【００８１】
さらに、一時保留部２２には、ドラム３１の上方に、ストッパ溝７０に挿入される可動ストッパ７１が設けられている。この可動ストッパ７１は、前後方向に延びる板状でなり、その幅（左右方向の長さ）は、ストッパ溝７０の幅より狭くなっている。この可動ストッパ７１は、左側の補助テープ５２の巻付ラインの上方に配置されていて、その下面が、ドラム３１の周側面３１Ｓに沿うように湾曲している。さらに、この可動ストッパ７１の前端近傍には、追従ローラ７２が回転可能に支持されている。この追従ローラ７２は、下側の一部分が可動ストッパ７１の下面より下方に突出してドラム３１の周側面３１Ｓに当接するようになっている。
【００８２】
この可動ストッパ７１は、後端部分が一時保留部２２のフレーム３０に回転可能に支持されていて、例えば、追従ローラ７２をドラム３１の周側面３１Ｓに押し付ける方向に付勢されている。
【００８３】
図９（Ａ）にも示すように、ストッパ溝７０は、補助テープ５２の巻き付け量が少なくとも１周分以上の場合には、補助テープ５２により覆われる。ゆえに、このとき可動ストッパ７１は、追従ローラ７２が補助テープ５２に当接する為、ストッパ溝７０に挿入されることはない。ただし、可動ストッパ７１には、補助テープ５２をストッパ溝７０に押し込んでしまうことのないよう調整された付勢力がくわえられているものとする。
【００８４】
これに対して、例えば、ドラム３１が巻戻方向Ｒ２に回転することで補助テープ５２が引き出されていき、補助テープ５２のドラム３１への巻き付け量が１周分より少なくなると、ストッパ溝７０が露出する。そして、さらにドラム３１が巻戻方向Ｒ２に回転していくと、図８（Ａ）及び図９（Ｂ）に示すように、可動ストッパ７１が先端側から追従ローラ７２とともにストッパ溝７０に入り込んでいく。このとき可動ストッパ７１の追従ローラ７２は、ストッパ溝７０の底に当接触する。そして、図８（Ｂ）及び図９（Ｃ）に示すように、可動ストッパ７１の先端が、ストッパ溝７０の他端側（一番奥）の壁面に当接すると、それ以上、巻戻方向Ｒ２にドラム３１を回転できなくなる。
【００８５】
このように、一時保留部２２には、ドラム３１を巻戻方向Ｒ２へ回転させるときに、所定の位置までしか回転できないようにする為のストッパ機構として、ストッパ溝７０と可動ストッパ７１が設けられている。
【００８６】
ここで、一時保留部２２と比較する為に、図１０及び図１１を用いて、ストッパ機構を省略した一時保留部８０で、ドラム３１を巻戻方向Ｒ２に回転させ続けていった場合の主テープ４２の動きについて説明する。尚、ここでは、一例として、図示しないノブなどを介してドラム３１が手動で巻戻方向Ｒ２に回転させられるものとする。
【００８７】
図１０（Ａ）に示すように、ドラム３１を巻戻方向Ｒ２に回転させていくと、主テープ４２は、図中点線の矢印で示す方向に走行して主リール４１に巻き取られていく。さらに、主テープ４２のドラム３１への巻き付け量が、１周分より少なくなるまで（つまりドラム３１上で主テープ４２の重なる部分がなくなるまで）回転させ、その後も引き続きドラム３１を巻戻方向Ｒ２に回転させていくと、図１０（Ｂ）に示すように、ドラム３１上の主テープ４２の先端の固定位置Ｐ２が、ドラム３１の下端近傍から巻戻方向Ｒ２に進んでいく途中で、主テープ４２の走行方向が主リール４１に巻き取られる方向から、引き出される方向に切り替わる。
【００８８】
その後もさらに巻戻方向Ｒ２に回転させ続けると、図１１に示すように、主テープ４２が主リール４１から引き出されていき、ドラム３１に対してこれまでとは逆方向に巻き取られていく。主テープ４２が、逆方向に巻き取られることを、逆巻きと呼ぶ。
【００８９】
尚、補助テープ５２の動きについては省略したが、補助テープ５２についても、主テープ４２と同程度のタイミングで走行方向が逆方向に切り替わり、逆方向に巻き取られていく。
【００９０】
このように、主テープ４２や補助テープ５２を逆巻きしてしまうと、主テープ４２や補助テープ５２の巻取方向を元に戻そうとするときに絡まったり、正常にドラム３１に紙幣ＢＬを巻き取ることができなくなったりする恐れがある。
【００９１】
そこで、本実施の形態では、上述したように、一時保留部２２に、ストッパ機構としてのストッパ溝７０及び可動ストッパ７１を設けるようにした。尚、ストッパ溝７０と可動ストッパ７１の当接位置は、ドラム３１に主テープ４２や補助テープ５２が逆巻きされてしまう直前でドラム３１の回転が停止するように選定されている。
【００９２】
これにより、一時保留部２２は、ドラム３１を巻戻方向Ｒ２に回転させていっても、主テープ４２や補助テープ５２が逆巻きする直前（すなわちドラム３１から主テープ４２や補助テープ５２をほぼ引き出し終えた時点）で、それ以上回転しないようにドラム３１を停止させることができ、かくして、主テープ４２や補助テープ５２の逆巻きを防止できる。
【００９３】
［１−３．まとめと効果］
ここまで説明したように、第１の実施の形態では、一時保留部２２の上側搬送ガイド３２に、ドラム３１のドラム径に連動して可動することで常に上側搬送ガイド３２とドラム３１との間に介在し、主テープ４２の紙幣搬送部分４２Ｔによって中央のみを挟持されて搬送される紙幣ＢＬを、上側搬送ガイド３２とドラム３１との間でガイドする上側可動ガイド６０を設けた。
【００９４】
これにより、一時保留部２２は、紙幣ＢＬに両端が持ち上がるような折れ癖が付いていたとしても、主テープ４２の紙幣搬送部分４２Ｔの上方に位置する上側可動ガイド６０によって、紙幣ＢＬの折れ曲がりを抑制し、上側搬送ガイド３２の後面などに引っ掛かったりすることなく、ドラム３１から引き剥がした紙幣ＢＬを、上側搬送ガイド３２と下側搬送ガイド３３の隙間へとガイドできる。かくして、一時保留部２２は、紙幣ＢＬが、接触すべきでない部分に接触して搬送不良を引き起こしてしまうことを防ぐことができる。
【００９５】
さらに、第１の実施の形態では、一時保留部２２に、ドラム３１を巻戻方向Ｒ２へ回転させる際に、ドラム３１から主テープ４２や補助テープ５２をほぼ引き出し終えた時点で、それ以上回転しないようにドラム３１を停止させる為のストッパ機構として、ストッパ溝７０と可動ストッパ７１を設けた。
【００９６】
これにより、一時保留部２２は、ドラム３１を巻戻方向Ｒ２に回転させていっても、主テープ４２や補助テープ５２が逆巻きする直前で、それ以上回転しないようにドラム３１を停止させることができる。かくして、一時保留部２２は、主テープ４２や補助テープ５２の逆巻きを防止できる。
【００９７】
また、第１の実施の形態では、ドラム３１の周側面３１Ｓに形勢するストッパ溝７０を、補助テープ５２の先端の固定位置Ｐ１の近傍からドラム３１の周側面３１Ｓに沿ってなだらかに深くなっていく形状とした。これにより、ドラム３１を巻戻方向Ｒ２に回転するだけで、可動ストッパ７１をストッパ溝７０にスムーズに挿入していくことができ、またドラム３１を巻取方向Ｒ１に回転するだけで、ストッパ溝７０に挿入された可動ストッパ７１をストッパ溝７０からスムーズに外すことができる。
【００９８】
［２．第２の実施の形態］
次に、第２の実施の形態について説明する。この第２の実施の形態は、一時保留部の構成が、第１の実施の形態とは異なる実施の形態である。一時保留部以外の構成については、第１の実施の形態と同様である為、詳しい説明については第１の実施の形態を参照とする。よって、ここでは、主に一時保留部の構成について説明する。
【００９９】
［２−１．一時保留部の構成］
図１２に、第２の実施の形態の一時保留部１００を示す。尚、図１２に示す一時保留部１００は、第１の実施の形態の一時保留部２２と同一の部分には同一の符号を付してある。
【０１００】
図１２（Ａ）に示すように、一時保留部１００は、一時保留部２２から可動ストッパ７１を省略するとともに、上側可動ガイド６０に代えて、上側可動ガイド６０と可動ストッパ７１の両方の機能を兼ねた上側可動ガイド兼ストッパ１０１を有している。尚、上側可動ガイド兼ストッパ１０１は、上側可動ガイド６０と基本的な構成は同じである為、詳しい説明については第１の実施の形態を参照とする。
【０１０１】
さらに、一時保留部１００は、ドラム３１に代えて、上側可動ガイド兼ストッパ１０１が挿入されるストッパ溝１０２が形成されたドラム１０３を有している。
【０１０２】
ストッパ溝１０２は、上側可動ガイド兼ストッパ１０１の一方の脚部６０Ｌ（もしくは脚部６０Ｒ）の下端部と追従ローラ６１が挿入される溝となっている。尚、脚部６０Ｌの左右方向の幅は、補助テープ５２の幅と同程度の為、脚部６０Ｌと追従ローラ６１を挿入できる幅の１本のストッパ溝１０２だと、補助テープ５２まで入り込んでしまう。
【０１０３】
よって、ドラム１０３には、例えば、補助テープ５２より幅狭のストッパ溝１０２が軸方向に所定の間隔を空けて複数本形成され、各ストッパ溝１０２に、脚部６０Ｌの下端部に形成された複数の櫛歯６０Ｌｔ（図５参照）のそれぞれが挿入されるようになっている。尚、複数のストッパ溝１０２のうちの１本（すなわち一番外側の１本）は、追従ローラ６１も挿入される為、他のストッパ溝１０２よりも幅広とする。そして、これら複数のストッパ溝１０２のうちの少なくとも１本（例えば一番外側の１本）が、左側の補助テープ５２の巻付ライン上に形成されている。つまり、少なくともこの１本が、補助テープ５２によって覆われるストッパ溝１０２となる。
【０１０４】
これにより、一時保留部１００は、ドラム１０３が巻戻方向Ｒ２に回転することで補助テープ５２が引き出されていき、補助テープ５２のドラム１０３への巻き付け量が１周分より少なくなると、補助テープ５２の巻付ライン上に形成されているストッパ溝１０２が露出することで、全てのストッパ溝１０２が露出する。そして、さらにドラム１０３が巻戻方向Ｒ２に回転していくと、上側可動ガイド兼ストッパ１０１が下端部の後端（櫛歯６０Ｌｔの後端）側から追従ローラ６１とともにストッパ溝１０２に入り込んでいき、図１２（Ｂ）に示すように、上側可動ガイド兼ストッパ１０１の下端部の後端（櫛歯６０Ｌｔの後端）が、ストッパ溝１０２の他端側（一番奥）の壁面に当接すると、それ以上、巻戻方向Ｒ２にドラム３１を回転できなくなる。
【０１０５】
このように、上側可動ガイド兼ストッパ１０１は、ガイドとしてだけでなくストッパとしても機能する。尚、ストッパ溝１０２と上側可動ガイド兼ストッパ１０１の当接位置は、ドラム１０３に主テープ４２や補助テープ５２が逆巻きされてしまう直前でドラム１０３の回転が停止するように選定されている。
【０１０６】
［２−２．まとめと効果］
ここまで説明したように、第２の実施の形態では、一時保留部１００の上側搬送ガイド３２に、ドラム１０３のドラム径に連動して可動することで常に上側搬送ガイド３２とドラム１０３との間に介在し、主テープ４２の紙幣搬送部分４２Ｔによって中央のみを挟持されて搬送される紙幣ＢＬをガイドするガイド機能と、ドラム１０３を巻戻方向Ｒ２へ回転させる際に、ドラム１０３から主テープ４２や補助テープ５２をほぼ引き出し終えた時点で、それ以上回転しないようにドラム１０３を停止させる為のストッパ機能とを有する上側可動ガイド兼ストッパ１０１を設けた。
【０１０７】
これにより、一時保留部１００は、上側可動ガイド兼ストッパ１０１によって、紙幣ＢＬの折れ曲がりを抑制し、紙幣ＢＬが、接触すべきでない部分に接触して搬送不良を引き起こしてしまうことを防ぐことができるとともに、主テープ４２や補助テープ５２の逆巻きを防止できる。
【０１０８】
さらに、一時保留部１００は、上側可動ガイド兼ストッパ１０１が、ガイド機能とストッパ機能の両方を兼ねていることにより、第１の実施の形態と比べて構成を簡略化することができ、製造コストやメンテナンスコストなどを低減することもできる。
【０１０９】
［３．他の実施の形態］
［３−１．他の実施の形態１］
尚、上述した第１の実施の形態では、ドラム３１の周側面３１Ｓの軸方向の一端側（２本の補助テープ５２のうちの一方の巻付ライン上）に、ストッパ溝７０を形成するようにした。これに限らず、ドラム３１の周側面３１Ｓの軸方向の他端側（他方の巻付ライン上）に、もう１本ストッパ溝７０を形成するようにしてもよい。すなわち、ドラム３１の周側面３１Ｓの軸方向の両端側にそれぞれストッパ溝７０を形成するようにしてもよい。この場合、可動ストッパ７１を１個追加して、２本のストッパ溝７０のそれぞれに可動ストッパ７１が挿入されるようにすればよい。このようにすれば、１個の可動ストッパ７１でドラム３１の回転を停止させるよりも、より強固にドラム３１の回転を停止させることができる。
【０１１０】
また、第２の実施の形態についても同様に、ドラム１０３の周側面１０３Ｓの軸方向の両端側にそれぞれストッパ溝１０２を形成するようにしてもよい。この場合、一端側と他端側のストッパ溝１０２のそれぞれに上側可動ガイド兼ストッパ１０１の両脚部６０Ｌ、６０Ｒのそれぞれが挿入されるようにすればよい。
【０１１１】
［３−２．他の実施の形態２］
また、上述した第２の実施の形態では、補助テープ５２より幅狭で、上側可動ガイド兼ストッパ１０１の脚部６０Ｌの下端部に形成された複数の櫛歯６０Ｌｔと追従ローラ６１が挿入されるストッパ溝１０２をドラム１０３に複数本形成するようにした。
【０１１２】
この場合、追従ローラ６１が脚部６０Ｌの外側面に設けられていることから、複数のストッパ溝１０２のうち、一番外側（左側）のストッパ溝１０２に、脚部６０Ｌの一番外側の櫛歯６０Ｌｔと追従ローラ６１とが挿入されることになる。
【０１１３】
これに限らず、追従ローラ６１を脚部６０Ｌの左右方向の他の位置に設けるようにしてもよい。例えば、追従ローラ６１を脚部６０Ｌの中央に設けるようにして、複数のストッパ溝１０２のうち、中央のストッパ溝１０２に、脚部６０Ｌの中央の櫛歯６０Ｌｔと追従ローラ６１とが挿入されるようにしてもよい。この場合も、追従ローラ６１が、補助テープ５２の巻付ラインと対向する位置にくるように上側可動ガイド兼ストッパ１０１のサイズを調整して、中央のストッパ溝１０２が補助テープ５２によって覆われている間、この補助テープ５２に追従ローラ６１が当接するようにすればよい。
【０１１４】
［３−３．他の実施の形態３］
さらに、上述した第１の実施の形態では、一時保留部２２に、主テープ４２の紙幣搬送部分４２Ｔによって中央のみを挟持されて搬送される紙幣ＢＬをガイドする上側可動ガイド６０と、ドラム３１から主テープ４２や補助テープ５２をほぼ引き出し終えた時点で、それ以上回転しないようにドラム３１を停止させる為のストッパ溝７０及び可動ストッパ７１とを設けるようにした。
【０１１５】
これに限らず、一時保留部２２に、上側可動ガイド６０と、ストッパ溝７０及び可動ストッパ７１とのどちらか一方を設けるようにしてもよい。また、上側可動ガイド６０のみを設ける場合、１本の主テープ４２と２本の補助テープ５２との計３本のテープで紙幣ＢＬの長手方向の中央と両端をドラム３１に押さえ付けるタイプの一時保留部２２に限らず、例えば、図１３に示したような１本のテープのみで紙幣ＢＬの中央をドラムに押さえ付けるタイプの一時保留部にも適用できる。
【０１１６】
［３−４．他の実施の形態４］
さらに、上述した各実施の形態では、本発明を、媒体処理装置としての一時保留部２２、１００に適用したが、本発明は、これに限らず、媒体を、搬送方向と直交する方向の中央でテープにより挟持してドラムに巻き付けて収納するものであれば、一時保留部２２、１００とは異なる媒体処理装置にも適用できる。
【０１１７】
さらに、上述した各実施の形態では、本発明を、紙幣を扱う媒体取引装置としての現金自動預払機１に適用したが、これに限らず、紙、切符など、紙幣以外の媒体を扱う媒体取引装置であっても、媒体をテープとともにドラムに巻き付けて収納する媒体処理部を有するものであれば、現金自動預払機１とは異なる媒体取引装置にも適用できる。
【０１１８】
さらに、上述した各実施の形態では、媒体搬送ガイドの具体例として、上側搬送ガイド３２を用いたが、これに限らず、ドラムの周側面から離れた位置に固定され、且つ第２テープローラを支持するものであれば、上側搬送ガイド３２とは異なる媒体搬送ガイドを用いてもよい。
【０１１９】
さらに、上述した各実施の形態では、可動ガイドの具体例として、上側可動ガイド６０及び上側可動ガイド兼ストッパ１０１を用いたが、これに限らず、主テープにおける、第１テープローラにより折り返された部分と第２テープローラにより折り返された部分とで挟持されて搬送される媒体を、ドラムの周側面と媒体搬送ガイド（上側搬送ガイド３２）との間でガイドできるものであれば、上側可動ガイド６０及び上側可動ガイド兼ストッパ１０１とは異なる可動ガイドを用いてもよい。
【０１２０】
さらに、上述した第１の実施の形態では、ストッパ溝７０を、一端側から他端側へとなだらかに深くなっていく形状とし、ドラム３１が巻戻方向Ｒ２に回転することにともなって、ストッパ溝７０の一端側から可動ストッパ７１が入り込んでいくようにしたが、これに限らず、ドラム３１から主テープ４２や補助テープ５２をほぼ引き出し終えた時点で、それ以上回転しないようにドラム３１を停止させることのできるものであれば、ストッパ溝７０及び可動ストッパ７１とは異なるストッパ機構を用いるようにしてもよい。第２の実施の形態についても同様である。
【０１２１】
さらに、上述した各実施の形態では、取引すべき紙葉状の媒体を外部から取り込む取込部の具体例として、紙幣入出金部２０を用いたが、これに限らず、例えば、紙幣以外の媒体の取引を行うのであれば、その媒体に対応する取込部を用いればよい。
【０１２２】
［３−５．他の実施の形態５］
さらに、本発明は、上述した各実施の形態に限定されるものではない。すなわち本発明は、上述した第１及び第２の実施の形態と他の実施の形態の一部または全部を任意に組み合わせた実施の形態や、一部を抽出した実施の形態にもその適用範囲が及ぶものである。
【産業上の利用可能性】
【０１２３】
本発明は、紙葉状の媒体をドラムに巻き付けて一時的に保留する種々の装置でも利用できる。
【符号の説明】
【０１２４】
１……現金自動預払機、２０……紙幣入出金部、２２、８０、１００、２００、２１０……一時保留部、２６……搬送部、３１、１０３、２０５……ドラム、３２……上側搬送ガイド、４１……主リール、４２……主テープ、４４、２０４……第１テープローラ、４６、２０６……第２テープローラ、５１、２１１……補助リール、５２、２１２……補助テープ、６０……上側可動ガイド、６１、７２……追従ローラ、７０、１０２……ストッパ溝、７１……可動ストッパ、１０１……上側可動ガイド兼ストッパ。
【図１】
0006582544.tif 000002
【図２】
0006582544.tif 000003
【図３】
0006582544.tif 000004
【図４】
0006582544.tif 000005
【図５】
0006582544.tif 000006
【図６】
0006582544.tif 000007
【図７】
0006582544.tif 000008
【図８】
0006582544.tif 000009
【図９】
0006582544.tif 000010
【図１０】
0006582544.tif 000011
【図１１】
0006582544.tif 000012
【図１２】
0006582544.tif 000013
【図１３】
0006582544.tif 000014
【図１４】
0006582544.tif 000015
【図１５】
0006582544.tif 000016
【図１６】
0006582544.tif 000017